(57)【要約】【課題】ピストンエンジンの運転の際に消費される燃料の量を低減すること。【解決手段】（Ａ）潤滑粘性油；  （Ｂ）エステル添加剤成分としての、グリセロールと１２〜３０個の炭素原子及び０〜３個の炭素−炭素二重結合を含むカルボン酸との１又はそれより多くのエステルであって、成分の５０質量％未満が、１又はそれより多くのモノエステルであるもの；及び  （Ｃ）更なる添加剤成分としての、油溶性モリブデン化合物を含む組成物。【特許請求の範囲】
【請求項１】
（Ａ）潤滑粘性油；
（Ｂ）エステル添加剤成分としての、グリセロールと１２〜３０個の炭素原子及び０〜３個の炭素−炭素二重結合を含むカルボン酸との１又はそれより多くのエステルであって、成分の５０質量％未満が、１又はそれより多くのモノエステルであるもの；及び
（Ｃ）更なる添加剤成分としての、油溶性モリブデン化合物
を含む組成物。
【請求項２】
エステル添加剤成分の４５％又はそれ未満、好ましくは４０質量％又はそれ未満、例えば３０質量％又はそれ未満が、１又はそれより多くのモノエステルである請求項１に記載の組成物。
【請求項３】
カルボン酸が、飽和又は不飽和のＣ16-18脂肪酸、例えばオレイン酸である請求項１又は２に記載の組成物。
【請求項４】
油溶性モリブデン化合物が、三核モリブデン化合物である請求項１〜３のいずれか１項に記載の組成物。
【請求項５】
更に、無灰分散剤、金属清浄剤、腐食抑制剤、ジヒドロカルビルジチオリン酸金属塩、酸化防止剤、流動点降下剤、付加的摩擦改良剤、消泡剤及び粘度改良剤より選ばれる、（Ｂ）及び（Ｃ）とは異なる、１又はそれより多くの共添加剤を含む請求項１〜４のいずれか１項に記載の組成物。
【請求項６】
（Ａ）潤滑粘性油；
（Ｂ）エステル添加剤成分としての、グリセロールと１２〜３０個の炭素原子及び０〜３個の炭素−炭素二重結合を含むカルボン酸との１又はそれより多くのエステルであって、成分の５０質量％未満が、１又はそれより多くのモノエステルであるもの；及び
（Ｃ）更なる添加剤成分としての、油溶性モリブデン化合物
を含む潤滑油濃縮物。
【請求項７】
潤滑粘性油が、３０〜７０質量％の量で存在する請求項６に記載の濃縮物。
【請求項８】
９０℃を越える作業温度で内燃エンジンの摩擦変化を改良する方法であって、エンジンを運転すること、及びエンジンを請求項１〜５のいずれか１項に記載の組成物で潤滑化することを含む方法。
【請求項９】
９０℃を越える作業温度での内燃エンジンの潤滑化において潤滑油組成物の摩擦変化特性を強化するための、請求項１〜４のいずれか１項に定義するような添加剤（Ｃ）との組み合わせでの添加剤（Ｂ）の使用。
【請求項１０】
（Ａ）潤滑粘性油；
（Ｂ）エステル添加剤成分としての、グリセロールと１２〜３０個の炭素原子及び０〜３個の炭素−炭素二重結合を含むカルボン酸との１又はそれより多くのエステルであって、成分の５５質量％未満が、１又はそれより多くのモノエステルであるもの；及び
（Ｃ）更なる添加剤成分としての、油溶性三核モリブデン化合物
を含む組成物。
【請求項１１】
エステル添加剤成分の５０質量％又はそれ未満、好ましくは４５質量％又はそれ未満、例えば４０質量％又はそれ未満又は３０質量％又はそれ未満が、１又はそれより多くのモノエステルである請求項１０に記載の組成物。
【請求項１２】
カルボン酸が、飽和又は不飽和のＣ16-18脂肪酸、例えばオレイン酸である請求項１０又は１１に記載の組成物。
【請求項１３】
潤滑粘性油が、濃縮物形成量で存在する請求項１０〜１２のいずれか１項に記載の組成物。
【請求項１４】
濃縮物形成量が、３０〜７０質量％である請求項１３に記載の組成物。
【請求項１５】
更に、無灰分散剤、金属清浄剤、腐食抑制剤、ジヒドロカルビルジチオリン酸金属塩、酸化防止剤、流動点降下剤、付加的摩擦改良剤、消泡剤及び粘度改良剤より選ばれる、（Ｂ）及び（Ｃ）とは異なる、１又はそれより多くの共添加剤を含む請求項１０〜１４のいずれか１項に記載の組成物。
【請求項１６】
高温で内燃エンジンの摩擦変化を改良する方法であって、エンジンを運転すること、及びエンジンを請求項１０、１１、１２及び１５のいずれか１項に記載の組成物で潤滑化することを含む方法。
【請求項１７】
高温が、９０℃を越える請求項１６に記載の方法。
【請求項１８】
内燃エンジンの潤滑化において潤滑油組成物の高温摩擦変化特性を強化するための、請求項１０又は１２に記載の添加剤（Ｃ）との組み合わせでの添加剤（Ｂ）の使用。
【発明の詳細な説明】
【技術分野】
【０００１】
本発明は、組成物、例えば、潤滑油組成物、より具体的には、ピストンエンジン、特にはガソリン（スパーク点火）及びディーゼル（圧縮点火）、クランクケース潤滑化における使用に適切な組成物（そのような組成物は、クランクケース潤滑剤と称される）；それらのための添加剤濃縮物；及び摩擦変化(friction modification)における添加剤の使用に関する。
【背景技術】
【０００２】
クランクケース潤滑油組成物、又は潤滑剤は、エンジンのクランクシャフト下でのオイルサンプがあり及び循環油が戻されるエンジン内における一般的潤滑化のために使用される油である。いくつかの目的のためにクランクケース潤滑剤中に添加剤を含ませることがよく知られている。
本発明は、クランクケース潤滑化における有機摩擦改良剤の使用に関する。摩擦低減剤としても称される摩擦改良剤は、摩擦係数を低減することにより作動し及び従って、燃料経済を改良する境界添加剤(boundary additive)であり得る。
摩擦改良剤としてのグリセロールモノエステルの使用は、当該技術分野において、例えば、US-A-4,495,088；US-A-4,683,069；EP-A-0 092 946；及びWO-A-01/72933に記載されている。これらの文献の１又はそれより多くは、その商業的に入手可能な形態でグリセロールモノオレエートと称されることが多いものは、ジエステルを含む混合物であること及びグリセロールを脂肪酸でエステル化する際、モノ−、ジ−及びトリエステルであることを示す。また、上記で挙げた文献のいくつかは、混合物中におけるものエステルの割合が高いことを教示し、及びEP-A-0 092 946は、エステル成分中における実質的に全てのモノエステルの使用を教示する。
WO-A-01/72933（上に記載）及びUS-B-6,723,685の各々は、潤滑油組成物中におけるモリブデン化合物との組み合わせでのグリセロールエステル添加剤の使用を記載する。しかしながら、WO-A-01/72933では、エステル添加剤のモノエステル含量が少なくとも７５モル％であることが必要とされ、及び比較例において、モリブデン化合物との組み合わせでの６８モル％のモノエステルの使用が記載され、及びUS-B-6,723,685には、モノエステル含量が記載されていない。
【０００３】
EP-A-0 743 354には、アルキルアミンホスフェート及びオキシモリブデンスルフィドジチオカルバメート、オキシモリブデンスルフィドオルガノホスホロシチオエート(organophosphorosithioate)、脂肪酸エステル及び有機アミドを含む群より選ばれる少なくとも１つの添加剤を含む、改良された摩耗保護を提供する潤滑油が開示されている。EP-A-0 743 354の実施例は、５０％モノエステルを含む脂肪酸エステルの使用を含む。WO-A-96/37581には、特定式のジチオカルバミン酸金属塩極圧添加剤を含む潤滑油組成物が開示されており、ここで、金属は、モリブデン又はタングステンであり得、それは、優秀な摩耗抵抗性、極圧潤滑性及び低摩擦係数を示すとされている。潤滑油組成物は、付加的に、脂肪酸エステルを含み得、及び実施例２は、５０％モノエステルを含む脂肪酸エステルを使用する。
【発明の開示】
【発明が解決しようとする課題】
【０００４】
潤滑剤の配合者が直面する問題は、ピストンエンジンの運転の際に消費される燃料の量を低減することである。
【課題を解決するための手段】
【０００５】
本発明により、驚くべきことに、本願明細書におけるデータにより証明されるように、モノエステルの割合が制御されたグリセロールエステル添加剤をモリブデン化合物との組み合わせで用いることにより、高温での摩擦変化における改良がなされる。
【０００６】
従って、第１態様においては、本発明は、
（Ａ）潤滑粘性油；
（Ｂ）エステル添加剤成分としての、グリセロールと１２〜３０個の炭素原子及び０〜３個の炭素−炭素二重結合を含むカルボン酸との１又はそれより多くのエステルであって、成分の５０質量％未満が、１又はそれより多くのモノエステルであるもの；及び
（Ｃ）更なる添加剤成分としての、油溶性モリブデン化合物
を含む組成物を提供する。
第２態様においては、本発明は、
高温での内燃エンジンの摩擦変化を改良する方法であって、エンジンを運転すること、及びエンジンを本発明の第１態様による組成物で潤滑化することを含む方法を提供する。
第３態様においては、本発明は、内燃エンジンの潤滑化における潤滑油組成物の高温摩擦変化特性を強化するための、本発明の第１態様で定義するような、添加剤（Ｃ）との組み合わせでの添加剤（Ｂ）の使用を提供する。
【０００７】
第４態様においては、本発明は、
（Ａ）潤滑粘性油；
（Ｂ）エステル添加剤成分としての、グリセロールと１２〜３０個の炭素原子及び０〜３個の炭素−炭素二重結合を含むカルボン酸との１又はそれより多くのエステルであって、成分の５５質量％未満が、１又はそれより多くのモノエステルであるもの；及び
（Ｃ）更なる添加剤成分としての、油溶性三核モリブデン化合物
を含む組成物を提供する。
第５態様においては、本発明は、
高温での内燃エンジンの摩擦変化を改良する方法であって、エンジンを運転すること、及びエンジンを本発明の第４態様による組成物で潤滑化することを含む方法を提供する。
第６態様においては、本発明は、内燃エンジンの潤滑化における潤滑油組成物の高温摩擦変化特性を強化するための、本発明の第４態様において定義したような、添加剤（Ｃ）との組み合わせでの添加剤（Ｂ）の使用を提供する。
【発明を実施するための最良の形態】
【０００８】
本願明細書において、以下の用語及び表現は、以下に記載する意味を有する：
“活性成分”又は“（ａ．ｉ．）”は、希釈剤又は溶剤でない添加剤材料を意味する；
“含む”又は同族用語は、記載の特徴、工程、整数又は成分の存在を意味するが、１又はそれより多くの他の特徴、工程、整数、成分又はそれらの群の存在又は追加を排除するものではない。表現“からなる”又は“本質的にからなる”又は同族語は、“含む”又は同族語に包含され得、ここで、“本質的にからなる”は、それが適用される組成物の特徴に実質的に影響を与えない物質の包含を許容する；
“多量”は、組成物の５０質量％を越えることを意味する；
“少量”は、組成物の５０質量％未満を意味する。
また、使用される種々の成分は、本質的に及び最適に及び慣例的に、配合、貯蔵又は使用の条件下で反応し得ること、及び本発明が、また、そのような反応の結果として得られうる又は得られる生成物を提供することが理解されるであろう。
更に、本願明細書に記載する上限及び下限量、範囲及び比の制限は、独立して、組み合わせられ得ることが理解されるべきである。
別に記載のない限り、本発明の各々の及び全ての態様に関連する本発明の特徴を、以下により詳細に記載する。
【０００９】
添加剤成分（Ｂ）
カルボン酸は、好ましくは、飽和又は不飽和のＣ16-18脂肪酸、例えばオレイン酸である。
好ましくは、本発明の第１態様に関連し、成分は、下限として１、５又は１０質量％及び上限として３０、４０又は４５質量％の１又はそれより多くのモノエステルを含み、その条件及び下限は、独立して、組み合わせられ得る。好ましくは、本発明の第４態様に関連して、成分は、下限として１、５又は１０質量％、及び上限として３０、４０、４５又は５０質量％の１又はそれより多くのモノエステルを含み、その上限及び下限は、独立して、組み合わせられ得る。
本発明の第１態様又は本発明の第４態様のいずれか１つの実施態様において、成分は、部分エステルのみからなり、即ち、モノ及びジエステルからなり；この実施態様は、４０質量％未満、例えば５〜４０質量％未満の１又はそれより多くのモノエステル、即ち、６０質量％又はそれより多く、例えば６０〜９５質量％の１又はそれより多くのジエステルを含む。
１又はそれより多くのトリエステルが成分中に存在する第１又は第４実施態様のいずれかにおいては、それらは、成分の６０質量％又はそれより多く、例えば６０〜９５質量％を構成する。
別の実施態様においては、モノエステルは、成分が、全体的にジエステルからなるか又は全体的にトリエステルからなるか又は全体的にそれらの混合物からなる場合、成分に不在であり得る。
エステルは、例えば、上記WO-A-01/72933に記載されているように、ボレート化され得る。
【００１０】
潤滑粘性油（Ａ）
潤滑粘性油（“ベースストック”又は“ベースオイル”と称されることがある）は、潤滑剤の主要液体構成成分であり、その中に、添加剤及び場合により他のオイルがブレンドされて、例えば、最終潤滑剤（又は潤滑油組成物）が生成される。
ベースオイルは、濃縮物を製造するために及びそれらから潤滑油組成物を製造するために有用であり、及び天然（植物、動物又は鉱物）及び合成潤滑油及びそれらの混合物から選択され得る。それは、粘性において、軽質留出物鉱油から重質潤滑油の範囲、例えばガスエンジンオイル、鉱物潤滑油、自動車オイル及びヘビーデューティディーゼルオイルであり得る。一般に、オイルの粘度は、１００℃で２〜３０ｍｍ2ｓ-1、特には５〜２０ｍｍ2ｓ-1の範囲にある。
天然オイルは、動物及び植物油（例えばヒマシ油又はラード油）液体石油及びパラフィン系、ナフテン系及び混合パラフィン−ナフテン系の水素化精製された、溶剤処理された鉱物潤滑油を含む。石炭又は頁岩より誘導される潤滑粘性油が、また、有用なベースオイルである。
合成潤滑油は、炭化水素油、例えば重合された又は共重合されたオレフィン（例えばポリブチレン、ポリプロピレン、プロピレン−イソブチレンコポリマー、塩素化ポリブチレン、ポリ（１−ヘキセン）、ポリ（１−オクテン）、ポリ（１−デセン））；アルキルベンゼン（例えばドデシルベンゼン、テトラデシルベンゼン、ジノニルベンゼン、ジ（２−エチルヘキシル）ベンゼン）；ポリフェノール（例えばビフェニル、テルフェニル、アルキル化ポリフェノール）；及びアルキル化ジフェニルエーテル及びアルキル化ジフェニルスルフィド及びその誘導体；それらの類似物及び同族体を含む。
別の適切なクラスの合成潤滑油は、ジカルボン酸（例えばフタル酸、コハク酸、アルキルコハク酸及びアルケニルコハク酸、マレイン酸、アゼライン酸、スベリン酸、セバシン酸、フマル酸、アジピン酸、リノール酸ダイマー、マロン酸、アルキルマロン酸、アルケニルマロン酸）と種々のアルコール（例えばブチルアルコール、ヘキシルアルコール、ドデシルアルコール、２−エチルヘキシルアルコール、エチレングリコール、ジエチレングリコールモノエーテル、プロピレングリコール）とのエステルを含む。これらのエステルの具体例は、ブチルアジペート、ジ（２−エチルヘキシル）セバケート、ジ−ｎ−ヘキシルフマレート、ジオクチルセバケート、ジイソオクチルアゼレート、ジイソデシルアゼレート、ジオクチルフタレート、ジデシルフタレート、ジエイコシルセバケート、リノール酸ダイマーの２−エチルヘキシルジエステル、及び１モルのセバシン酸と２モルのテトラエチレングリコール及び２モルの２−エチルヘキサン酸とを反応させることにより形成される複合体エステルを含む。
【００１１】
合成油として有用なエステルは、また、Ｃ5-12モノカルボン酸及びポリオール、及びポリオールエーテル、例えばネオペンチルグリコール、トリメチロールプロパン、ペンタエリスリトール、ジペンタエリスリトール及びトリペンタエリスリトールから製造されるものを含む。
未精製、精製及び再精製油を本発明の潤滑油に使用することができる。未精製油は、更なる精製処理なしに天然又は合成源から直接得られるものである。例えば、レトルト操作により直接得られるシェール油、蒸留により直接得られる石油又はエステル化方法により直接得られ、及び更なる処理なしに使用されるエステルオイルは、未精製油であろう。精製油は、それらが、更に、１又はそれより多くの精製工程において処理されて、１又はそれより多くの特性が改良されている以外は未精製油と同様である。多くのそのような精製技術、例えば、蒸留、溶剤抽出、酸又は塩基抽出、ろ過及びパーコレーションが、当該技術分野における当業者に知られている。再精製油は、既に使用された精製油に適用される精製油を得るために使用されるものと同様の処理により得られる。そのような再精製油は、また、再生油又は再処理油として知られ、及び使用済み添加剤及びオイルブレークダウン製品(oil breakdown product)の承認のための技術により追加的処理がなされることが多い。
【００１２】
ベースオイルの他の例は、ガス−液体(gas-to-liquid)（ＧＴＬ）ベースオイルであり、即ち、ベースオイルは、フィッシャー・トロプシュ触媒を用いてＨ2及びＣＯを含む合成ガスから製造されるフィッシャー・トロプシュ合成炭化水素から誘導されるオイルであってもよい。これらの炭化水素は、典型的に、ベースオイルとして有用であるための更なる処理を必要とする。例えば、それらは、当該技術分野において知られる方法により、水素異性化(hydroisomerize)され；水素化分解され及び水素異性化され；脱ろうされ；又は水素異性化され及び脱ろうされ得る。
ベースオイルは、API EOLCS 1509の定義に従ってグループＩ〜Ｖに分類され得る。
オイルは、組成物が、例えば、上記成分（Ｂ）及び（Ｃ）である添加剤、又は成分（Ｂ）及び（Ｃ）及び１又はそれより多くの共添加剤の組み合わせの１〜９０質量％活性成分、例えば１０〜８０質量％活性成分、好ましくは２０〜８０質量％活性成分、より好ましくは２０〜７０質量％活性成分を含む濃縮物形態にあるように、濃縮物形成量（例えば３０〜７０質量％、例えば４０〜６０質量％）で存在し得る。
濃縮物中において使用される潤滑粘性油は、適切な油性の、典型的には炭化水素、キャリヤ流体、例えば鉱物潤滑油、又は他の適切な溶剤である。例えば本願明細書において記載される潤滑粘性油、及び脂肪族、ナフテン系及び芳香族炭化水素が、濃縮物のための適切なキャリヤ流体の例である。
【００１３】
濃縮物は、それらの使用前に添加剤を取り扱う、及び潤滑油組成物中における添加剤の溶解又は分散を促進する有利な手段の構成要素となる。１つより多くのタイプの添加剤（“添加剤成分”と称されることがある）を含む潤滑油組成物を製造する際、各添加剤は、別々に−各々、濃縮物形態で導入され得る。しかしながら、多くの場合、単一濃縮物中に２又はそれより多くの添加剤を含む、いわゆる添加剤“パッケージ”（“アドパック”とも称される）を提供することが有利である。
潤滑粘性油は、少量の成分（Ｂ）及び成分（Ｃ）、及び必要なら、少量の、潤滑油組成物を構成する、例えば後述される１又はそれより多くの共添加剤との組み合わせで、多量に提供され得る。この製造は、添加剤を直接オイルに添加することにより、又はそれをそれらの濃縮物形態で添加して、添加剤を分散又は溶解させることにより達成され得る。添加剤は、当該技術分野における当業者に知られる方法により、他の添加剤の添加の前、それと同時又はそれより後に添加することができる。
【００１４】
添加剤成分（Ｃ）
本発明の第１態様に関して、潤滑油組成物中において摩擦変化及び／又は耐摩耗特性を有する適切な油溶性有機モリブデン化合物を使用することができる。そのような油溶性有機モリブデン化合物の例としては、ジチオカルバメート、ジチオホスフェート、ジチオホスフィネート、キサンテート、チオキサンテート、スルフィドなど、及びそれらの混合物が記載され得る。特に好ましいものは、モリブデンのジチオカルバメート、ジアルキルジチオホスフェート、アルキルキサンテート及びアルキルチオキサンテートである。
モリブデン化合物は、一核、二核、三核又は四核であってもよい。二核及び三核モリブデン化合物が好ましい。
また、モリブデン化合物は、酸性モリブデン化合物であってもよい。これらの化合物は、ＡＳＴＭ試験Ｄ−６６４又はＤ−２８９６滴定手順により測定されるように塩基性窒素化合物と反応するであろうし、及び典型的には六価である。
モリブデン酸、モリブデン酸アンモニウム、モリブデン酸ナトリウム、モリブデン酸カリウム、及び他のアルカリ金属のモリブデン酸塩及び他のモリブデン塩、例えばモリブデン酸水素ナトリウム、ＭｏＯＣｌ4、ＭｏＯ2Ｂｒ2、Ｍｏ2Ｏ3Ｃｌ6、三酸化モリブデン又は同様の酸性モリブデン化合物が包含される。あるいはまた、本発明の組成物は、例えば、米国特許第4,263,152号、第4,285,822号、第4,283,295号、第4,272,387号、第4,265,773号、第4,261,843号、第4,259,195号及び第4,259,194号及びWO 94/06897に記載されているような塩基性窒素化合物のモリブデン／硫黄複合体によるモリブデンで提供され得る。
【００１５】
本発明の組成物において有用なモリブデン化合物としては、式Ｍｏ（ＲＯＣＳ2）4及びＭＯ（ＲＳＣＳ2）4（式中、Ｒは、一般に、炭素原子数が１〜３０、及び好ましくは２〜１２のアルキル、アリール、アラルキル及びアルコキシアルキルからなる群より選ばれる有機基であり、及び最も好ましくは炭素原子数２〜１２のアルキルである）の有機モリブデン化合物がある。特に好ましいものは、モリブデンのジアルキルジチオカルバメートである。
本発明の第４態様に関し、潤滑油組成物中における摩擦変化及び／又は耐摩耗特性を有する適切な三核油溶性有機モリブデン化合物を使用してもよい。そのような油溶性有機モリブデン化合物の例としては、ジチオカルバメート、ジチオホスフェート、ジチオホスフィネート、キサンテート、チオキサンテート、スルフィドなど、及びそれらの混合物が記載され得る。特に好ましいものは、モリブデンのジチオカルバメート、ジアルキルジチオホスフェート、アルキルキサンテート及びアルキルチオキサンテートである。
本発明の第４態様の三核モリブデン化合物は、四核モリブデン化合物を含み得る。好ましくは、三核モリブデン化合物は、少なくとも９０％、好ましくは少なくとも９５％及びより好ましくは実質的に１００％の三核モリブデン化合物を含む。
【００１６】
本発明の全ての態様において有用なあるクラスの好ましい有機モリブデン化合物は、式Ｍｏ3ＳkＬnＱz（式中、Ｌは、化合物をオイル中に溶解性又は分散性にするのに十分な数の炭素原子を有する有機基を有する独立に選択されるリガンドであり、ｎは１〜４であり、ｋは４〜７であり、Ｑは中性電子供与化合物、例えば水、アミン、アルコール、ホスフィン及びエーテルの群より選ばれ、及びｚは０〜５であり、及び非化学量論値を含む）の三核モリブデン化合物及びそれらの混合物である。少なくとも２１個の全炭素原子、例えば少なくとも２５個、少なくとも３０個、又は少なくとも３５個の炭素原子が、全てのリガンドの有機基に存在すべきである。
本願明細書において使用する用語“油溶性”又は“分散性”又は同族語は、必ずしも、化合物又は添加剤が、全ての割合でオイル中に溶解性、可溶性、混和性又は懸濁可能であることを示す訳ではない。しかしながら、これらは、それらが、例えば、オイルが使用される環境においてそれらの意図される効果を発揮するのに十分な程度でオイル中に溶解性又は安定分散性であることを意味する。更に、他の添加剤の付加的導入は、また、所望なら、特定の添加剤の高レベルでの導入の可能にし得る。
潤滑油組成物を使用して、機械的エンジン部品の潤滑化を、特には内燃エンジン、例えばスパーク点火、圧縮点火２又は４ストロークピストンエンジンにおいて、組成物をそれらに導入することによりすることができる。
【００１７】
潤滑油組成物及び濃縮物は、油性キャリヤとの混合前及び後に化学的に同一物を残し得る又は残し得ない定義される成分を含む。本発明は、混合前、又は混合後、又は混合前及び後の両方に定義される成分を含む組成物及び濃縮物を包含する。
濃縮物を使用して潤滑油組成物を製造する際、それらは、例えば、濃縮物の部あたりで３〜１００質量部、例えば５〜４０質量部の潤滑粘性油で希釈され得る。
本発明の潤滑油組成物中において、有機摩擦改良剤としての代表的有効量の添加剤成分（Ｂ）は、０．０５〜５質量％、例えば０．０５質量％から０．３質量％まで又は０．６質量％まで又は１．５質量％までである。
本発明の潤滑油組成物は、モリブデン化合物（Ｃ）を、組成物に少なくとも１０ｐｐｍ、例えば５０〜２０００ｐｐｍのモリブデンを提供する量で含んでいてもよい。好ましくは、モリブデン化合物からのモリブデンは、潤滑油組成物の全質量をベースとして、１０〜１５００ｐｐｍ、例えば２０〜１０００ｐｐｍ、より好ましくは３０〜７５０ｐｐｍの量で存在する。いくつかの適用のためには、モリブデンは、５００ｐｐｍより多い量で存在する。
潤滑油組成物中における代表的有効量での他の共添加剤を以下に記載する。記載の全ての値は、質量％活性成分として記載する。
【００１８】
2007146090.tif 000002
（１）粘度改良剤は、マルチグレードオイルにおいてのみ使用される。
典型的に、添加剤の各々をベースオイルにブレンドすることにより製造された最終潤滑油組成物は、５〜２５質量％、好ましくは５〜１８質量％、典型的には７〜１５質量％の濃縮物を含み得、残部が潤滑粘性油である。
【００１９】
共添加剤
上記共添加剤を更に以下において論じる：当該技術分野において知られているように、いくつかの添加剤は、複数の効果を提供し得−例えば、単一添加剤が、分散剤として及び酸化抑制剤として作用し得る。
分散剤は、主な機能が、固体及び液体混成をサスペンションで保持し、それによりそれらを不動体化し、及びスラッジ堆積物を低減すると同時にエンジン堆積物を低減することである添加剤である。従って、例えば、分散剤は、潤滑剤の使用の間の酸化により生じる油不溶性物質を懸濁状態に保持し、従って、エンジン金属部におけるスラッジ凝集及び沈降又は堆積を防止する。
分散剤は、通常、上述したように“無灰”であり、金属含有、及び従って灰形成材料とは対照的に、燃焼の際に実質的に灰を形成しない非金属性有機材料である。それらは、極性ヘッドを有する長鎖炭化水素を含み、極性は、例えばＯ、Ｐ又はＮ原子の包含により誘導される。炭化水素は、例えば炭素原子数４０〜５００の、油溶解性を与える親油性基である。従って、無灰分散剤は、油溶性高分子主鎖を含む。
好ましいクラスのオレフィンポリマーは、ポリブテン、特にはポリイソブテン（ＰＩＢ）又はポリ−ｎ−ブテンであり、例えばＣ4精製ストリームの重合により製造され得る。
【００２０】
分散剤は、例えば、長鎖炭化水素置換カルボン酸の誘導体を含み、例は、高分子ヒドロカルビル置換コハク酸の誘導体である。分散剤の注目すべき群は、例えば、上記酸（又は誘導体）と窒素含有化合物、有利にはポリアルキレンポリアミン、例えばポリエチレンポリアミンとを反応させることにより製造される炭化水素置換スクシンイミドである。特に好ましいものは、US-A-3,202,678；-3,154,560；-3,172,892；-3,024,195；-3,024,237；-3,219,666；及び-3,216,936；及びBE-A-66,875に記載されているようなポリアルキレンポリアミンとアルケニルコハク酸無水物との反応生成物であり、それらは、後処理されて、それらの特性が改良されてもよく、例えばボレート化（US-A-3,087,936及び-3,254,025に記載されているように）、フッ素化及びオキシレート化される。例えば、ボレート化は、アシル窒素含有分散剤を、酸化ホウ素、ホウ素ハロゲン化物、ホウ素酸及びホウ素酸エステルより選ばれるホウ素化合物で処理することにより達成され得る。
清浄剤は、エンジン内のピストン堆積物、例えば高温ワニス及びラッカー堆積物の形成を低減する添加剤であり；それは、通常、酸中和特性を有し、及び微細固形物を懸濁状態で保持することが可能である。大抵の清浄剤は、酸性有機化合物の金属塩である金属“石鹸”をベースとする。
【００２１】
清浄剤は、一般に、長鎖疎水性尾を有する極性ヘッドを含み、極性ヘッドは、酸性有機化合物の金属塩を含む。その塩は、実質的に化学量論量の金属を含み得、そのケースにおいては、それらは、通常、正塩又は中性塩として記載され、及び典型的には、０〜８０の全塩基価又はＴＢＮ（ＡＳＴＭ  Ｄ２８９６により測定され得るような）を有するであろう。多量の金属塩基は、過剰な金属化合物、例えば酸化物又は水酸化物を酸性ガス、例えば二酸化炭素と反応させることにより含ませることができる。得られる過塩基化清浄剤は、中和清浄剤を、金属塩基（例えばカーボネート）ミセルの外層として含む。そのような過塩基化清浄剤は、１５０又はそれより高く、及び典型的には２５０〜５００又はそれより高いＴＢＮを有し得る。
使用することができる清浄剤は、金属、特にはアルカリ又はアルカリ土類金属、例えばナトリウム、カリウム、リチウム、カルシウム及びマグネシウムの、油溶性の中性及び過塩基化スルホネート、フェナート、硫化フェナート、チオホスホネート、サリチレート、及びナフテネート及び他の油溶性カルボキシレートを含む。最も通常使用される金属は、カルシウム及びマグネシウムであり、それは、潤滑剤中に使用される清浄剤、及びナトリウムとカルシウム及び／又はマグネシウムとの混合物中の双方に存在し得る。特に有利な金属清浄剤は、５０〜４５０のＴＢＮを有する中性及び過塩基化カルシウムスルホネート及び硫化フェナートである。
【００２２】
酸化防止剤は、酸化抑制剤と称されることがあり；それらは、組成物の酸化に対する抵抗性を上昇させ及びペルオキシドと組み合せて及びそれを変性させて無毒とすることにより、ペルオキシドを分解することにより、又は酸化触媒を不活性化することにより機能し得る。酸化的劣化は、潤滑剤中のスラッジ、金属表面上のワニス様堆積物により、及び粘度上昇により拡大され得る。
それらは、ラジカル・スカベンジャー（例えば立体障害フェノール、第２級芳香族アミン及び有機銅塩）；ヒドロペルオキシド分解剤（例えば有機硫黄及び有機リン添加剤）；及び多機能剤（例えば耐摩耗添加剤としても機能し得るジヒドロカルビルジチオリン酸亜鉛、及び摩擦改良剤及び耐摩耗添加剤としても機能し得る有機モリブデン化合物）として分類され得る。
適切な酸化防止剤の例は、銅含有酸化防止剤、硫黄含有酸化防止剤、芳香族アミン含有酸化防止剤、ヒンダードフェノール酸化防止剤、ジチオホスフェート誘導体、金属チオカルバメート、及びモリブデン含有化合物より選ばれる。
ジヒドロカルビルジチオリン酸金属塩は、耐摩耗及び酸化防止剤として使用されることが多い。その金属は、アルカリ又はアルカリ土類金属、又はアルミニウム、鉛、錫、モリブデン、マンガン、ニッケル又は銅であってもよい。亜鉛塩は、潤滑油組成物の全質量をベースとして０．１〜１０質量％、好ましくは０．２〜２質量％の量で潤滑油中において最も通常使用される。それらは既知の技術に従って、最初に、通常、１又はそれより多くのアルコール又はフェノールをＰ2Ｓ5と反応させることによりジヒドロカルビルジチオリン酸（ＤＤＰＡ）を形成し、次いで形成されたＤＤＰＡを亜鉛化合物で中和することにより製造される。例えば、ジチオリン酸は、第１級及び第２級アルコールの混合物を反応させることにより製造することができる。あるいはまた、一方のヒドロカルビル基が完全に性質上第２級であり、他方のヒドロカルビル基が完全に性質上第１級である複数のジチオリン酸を製造することができる。亜鉛塩を製造するために、塩基性又は中性亜鉛化合物を使用することができるが、オキシド、ヒドロキシド及びカーボネートが最も一般的に使用される。商業的添加剤は、中和反応における過剰の塩基性亜鉛化合物の使用のために、過剰の亜鉛を含むことが多い。
【００２３】
耐摩耗剤は、摩擦及び過剰摩耗を低減し、及び通常、例えば包含される表面上にポリスルフィドフィルムを堆積することが可能である、硫黄又はリン又はその両方を含有する化合物をベースとする。注目すべきものは、ジヒドロカルビルジチオリン酸塩、例えば本願明細書において酸化防止剤として議論されるジアルキルジチオリン酸亜鉛（ＺＤＤＰ）である。
無灰の耐摩耗剤の例は、１，２，３−トリアゾール、ベンゾトリアゾール、チアジアゾール、硫化脂肪酸エステル、及びジチオカルバメート誘導体を含む。
さび及び腐食抑制剤は、さび及び／又は腐食から表面を保護するように機能する。
さび抑制剤としては、非イオン性ポリオキシアルキレンポリオール及びそれらのエステル、ポリオキシアルキレンフェノール、及びアニオン性アルキルスルホン酸が挙げられる。
潤滑油流動性改良剤としても知られる流動点降下剤は、流体が流れる又は注入可能である最低温度を低下させる。そのような添加剤は、よく知られている。流体の低温流動性を改良する添加剤の典型例は、Ｃ8-18ジアルキルフマレート／ビニルアセテートコポリマー及びポリアルキルメタクリレートである。
ポリシロキサンタイプの添加剤、例えばシリコーンオイル又はポリジメチルシロキサンは、泡制御を提供し得る。
【００２４】
少量の解乳化成分を使用してもよい。好ましい解乳化成分は、EP-A-330,522に記載されている。それは、ビスエポキシドを多価アルコールと反応させることにより得られる付加物とアルキレンオキシドを反応させることにより得られる。解乳化剤は、０．１質量％活性成分を越えないレベルで使用されるべきである。０．００１〜０．０５質量％活性成分の処理割合が有利である。
粘度改良剤（又は粘度指数改良剤）は、高及び低温作業性を潤滑油に付与する。分散剤としても機能する粘度改良剤が、また知られており、及び無灰分散剤について上述したように製造することができる。一般に、これらの分散剤粘度改良剤は、その後、例えばアルコール又はアミンで誘導体化される官能化ポリマー（例えば、活性モノマー、例えばマレイン酸無水物で後グラフト化(post graft)されたエチレン−プロピレンの共重合体(interpolymer)）である。
潤滑剤は、従来の粘度改良剤を伴って又は伴わずに、及び分散剤粘度改良剤を伴って又は伴わずに配合することができる。粘度改良剤としての使用に適切な化合物は、一般に、ポリエステルを含む高分子量炭化水素ポリマーである。油溶性粘度改良ポリマーは、一般に、10,000〜1,000,000、好ましくは20,000〜500,000の質量平均分子量を有し、それは、ゲル透過クロマトグラフィーにより又は光散乱により測定され得る。
【実施例】
【００２５】
本発明を、特に、以下の非制限的実施例において記載する。
実施例１
種々の割合のモノエステル（グリセロールモノオレエート）及びジエステル（グリセロールジオレエート）からなる４つの添加剤成分を製造した。モノ及びジエステルの割合（質量％）を、各添加剤成分について以下の表１に記載する。
表１
2007146090.tif 000003
成分１及び２は、本発明の例における使用のためのものであり、及び成分Ａ及びＢは、比較目的のためのものである。
各成分を当該技術分野において知られる方法により潤滑油組成物にブレンドして、活性成分としての成分０．３質量％、モリブデン２００ｐｐｍを提供するモリブデン添加剤、及び同一の習慣的量(identical customary amount)の無灰分散剤、金属清浄剤、酸化防止剤、ジヒドロカルビルジチオリン酸亜鉛及び消泡剤を含む、十分に配合されたオイル組成物を提供した。
【００２６】
高周波往復リグ（ＨＦＲＲ）を使用して、オイル１、２、Ａ及びＢの摩擦係数特性を評価した。機器はＡＵＴＯＨＲＦと称され、及びPCS Instrumentsにより製造されている。試験プロトコールは以下の表２に示す。段階的ランプ温度プロフィールが生じ、それによって、各３００秒で、温度が２０℃のステップ上昇し、及び次の連続的２０℃ランプまで３００秒間一定に保持した。
表２−ＨＦＲＲプロトコール
2007146090.tif 000004
【００２７】
結果を、温度の関数としての平均摩擦係数として表し、及び以下の表３に概要し、ここで、試験した組成物は、それらが含む添加剤成分に従って１、２、Ａ及びＢと称される。
表３                                      組成物
2007146090.tif 000005
表３は、低温で、参照例Ａ及びＢが、一般に、実施例１及び２より優れており、それらが、低い摩擦係数を示す。高温、８０〜１００℃の間で、それらは匹敵するようになる。温度が更に上昇し、１２０〜１４０℃の間では、実施例１及び２の結果が、一般に、参照例Ａ及びＢの結果より優れる。
【００２８】
実施例２
種々の割合のモノエステル（グリセロールモノオレエート）及びジエステル（グリセロールジオレエート）からなる６つの添加剤成分を製造した。モノ及びジエステルの割合（質量％）は、各点化剤成分について以下の表４に記載する。
表４
2007146090.tif 000006
各成分を、当該技術分野において知られる方法により潤滑油組成物にブレンドして、活性成分としての成分０．３質量％、２００ｐｐｍのモリブデンを提供するモリブデン添加剤、及び同一の習慣的量の無灰分散剤、金属清浄剤、酸化防止剤、ジヒドロカルビルジチオリン酸亜鉛及び消泡剤を含む、十分に配合されたオイル組成物を提供した。
実施例１で使用した高周波往復リグ（ＨＦＲＲ）を使用して、オイル３、４、５、６、７及びＣの摩擦係数特性を評価した。実施例１とは異なる試験プロトコールを使用し、及び以下の表５に記載する。実施例２において、段階的ランプ温度プロフィールが生じ、それにより、各６００秒で、音頭が２０℃のステップ上昇し、次の連続的２０℃ランプまで６００秒間一定に保持した。
【００２９】
表５−ＨＦＲＲプロトコール
2007146090.tif 000007
結果は、温度の関数としての平均摩擦係数として表し、及び以下の表６に概要し、ここで、試験した組成物は、それらが含む添加剤成分に従って、３、４、５、６、７及びＣと称する。各値は、２回の繰り返し試験の平均である。
表６
2007146090.tif 000008
表６は、低温で、モノエステルの割合が上昇すると、摩擦係数が低減することを示す。一方、高温、８０〜１００℃の付近で、組成物３〜７は、組成物Ｃに匹敵するようになる。温度が更に上昇し、１２０〜１４０℃の間では、組成物３〜７の結果は、参照組成物Ｃのものより優れている。
【００３０】
実施例３
５３質量％のモノエステル及び４７質量％のジエステルを含む添加剤成分８を製造した。成分８を、当該技術分野において知られる方法により、潤滑油組成物にブレンドして、組成物８及び参照組成物Ｄを提供した。組成物８及びＤの各々には、活性成分としての成分８を０．３質量％、及び同一の習慣的量の無灰分散剤、金属清浄剤、酸化防止剤、ジヒドロカルビルジチオリン酸亜鉛及び消泡剤を含ませた。組成物８及び組成物Ｄの異なる点は、組成物８が、２００質量ｐｐｍのモリブデンを提供する三核モリブデンを含み、及び組成物Ｄが、２００質量ｐｐｍのモリブデンを提供する二核モリブデンを含む点である。
実施例１で使用した高周波往復リグ（ＨＦＲＲ）を使用して、オイル８及びＤの摩擦係数特性を評価した。使用した試験プロトコールは、実施例２において使用したものと同一であり、上記表５に記載されている。
結果は、温度の関数としての平均摩擦係数として表し、及び以下の表７に概要する。各値は、２回の繰り返し試験の平均である。
表７                                            組成物
2007146090.tif 000009
表７から、同等モリブデン含量で、三核モリブデン源の使用により、二核モリブデン源を含む同等組成物に比し、有意に摩擦係数が低減されることが分かる。
【００３１】
実施例４
種々の割合のモノエステル（グリセロールモノオレエート）、ジエステル（グリセロールジオレエート）及びトリエステル（グリセロールトリオレエート）からなる２つの添加剤成分を製造した。モノ、ジエステル及びトリエステルの割合（質量％）を、各添加剤成分について以下の表８に記載する。
表８
2007146090.tif 000010
各成分を、当該技術分野において知られる方法により、潤滑油組成物中にブレンドして、活性成分としての成分０．３質量％、及び２００質量ｐｐｍのモリブデンを提供するモリブデン添加剤、及び同一の習慣的量の無灰分散剤、金属清浄剤、酸化防止剤、ジヒドロカルビルジチオリン酸亜鉛及び消泡剤を含む、十分に配合されたオイル組成物を提供した。
実施例１の高周波往復リグ（ＨＦＲＲ）を使用して、オイル９及び１０の摩擦係数特性を評価した。試験プロトコールは、実施例２及び３で使用したものと同一であり、上記表５に記載されている。
【００３２】
結果は、温度の関数としての平均摩擦係数として表し、及び以下の表９に概要し、ここで、試験した組成物は、それらが含む添加剤成分に従って９及び１０として称される。
表９                                            組成物
2007146090.tif 000011
表９は、高温で、より高い割合のトリエステルを含む組成物が、一般に、より低い割合のトリエステルを含む組成物より優れていることを示す。
【外国語明細書】
2007146090.tif 000012
2007146090.tif 000013
2007146090.tif 000014
2007146090.tif 000015
2007146090.tif 000016
2007146090.tif 000017
2007146090.tif 000018
2007146090.tif 000019
2007146090.tif 000020
2007146090.tif 000021
2007146090.tif 000022
2007146090.tif 000023
2007146090.tif 000024
2007146090.tif 000025
2007146090.tif 000026
2007146090.tif 000027
2007146090.tif 000028
2007146090.tif 000029
2007146090.tif 000030
2007146090.tif 000031
2007146090.tif 000032
2007146090.tif 000033
2007146090.tif 000034
2007146090.tif 000035
2007146090.tif 000036
2007146090.tif 000037
2007146090.tif 000038